(57)【要約】【課題】  異物を排出しやすいキーボードシステムを提供する。【解決手段】  キートップと各キートップを支える支柱を備えた台座部分とから構成されるキーボードと、このキーボードの台座部分の延長上に異物を排出するための排出口とを備え前記支柱に連結して異物を前記排出口へと誘導する壁を前記台座部分に設置したことを特徴とするキーボードシステム。  キートップと各キートップを支える支柱を備えた台座部分とから構成されるキーボードと、このキーボードの台座部分の延長上に異物を排出するための排出口とを備え前記支柱に連結して異物を前記排出口へと誘導する壁と溝を前記台座部分に設置したことを特徴とするキーボードシステム。【選択図】      図４
2008033511.tif 000002
【特許請求の範囲】
【請求項１】
キートップと各キートップを支える支柱を備えた台座部分とから構成されるキーボードと、
このキーボードの台座部分の延長上に異物を排出するための排出口とを
備え前記支柱に連結して異物を前記排出口へと誘導する壁を前記台座部分に設置したことを特徴とするキーボードシステム。
【請求項２】
キートップと各キートップを支える支柱を備えた台座部分とから構成されるキーボードと、
このキーボードの台座部分の延長上に異物を排出するための排出口とを
備え前記支柱に連結して異物を前記排出口へと誘導する溝を前記台座部分に設置したことを特徴とするキーボードシステム。
【請求項３】
キートップと各キートップを支える支柱を備えた台座部分とから構成されるキーボードと、
このキーボードの台座部分の延長上に異物を排出するための排出口とを
備え前記支柱に連結して異物を前記排出口へと誘導する壁と溝を前記台座部分に設置したことを特徴とするキーボードシステム。
【発明の詳細な説明】
【技術分野】
【０００１】
本発明は、ノートブック型パーソナルコンピュータ等に供するキーボードシステムに関する。
【背景技術】
【０００２】
ノートブック型パーソナルコンピュータ（以下、ノートPC）等のユーザが文字入力等を行う機器においては、入力手段としてキーボードが用いられてきた。しかしながらキーボードの操作の際には飲み物、食べ物等のノートPC等の機器にとっては異物となるものをユーザは飲食のために扱うことが多い。
【０００３】
一般的なノートPCにおけるキーボードは各キーが独立した機構となっており、各キーの隙間からキーボード内部に異物が入り込むという問題がある。特にキーボードがPC本体に組み込まれているノートPCにおいては、キーボード部分から異物が入ることはノートPC内部に異物が入ることを意味する。これには下記のような対策が従来の技術として一先ずは可能である。
【０００４】
１．キーボードカバーを使用し、キー間の隙間をカバーする。
２．各キーが独立しない構造とする。
３．プール構造にしてキーボードの隙間から入り込んだ異物がキーボードもしくはPC本体内に入り込まないようにする構造とする。
４．キーボードの下に防滴用のシートを敷き、液体などが入り込んでも回路の重要な部分に直接かからないようにする構造とする。
しかしこれら従来の技術による対策において問題となる点は対応して以下のようである。
１．キーボードカバーによる対策は、カバーがキーを打つ際の抵抗となるために打ちにくく、疲れやすくなってしまう。
２．各キーが独立しない構造をとる場合、主に携帯型の電子辞書等で用いられる構造だが、短いストロークのキーが並び、表面にカバーがかかっている構造となる。キーとキー以外の部分や他のキーとの境界が分かりにくく、ストロークが短いこともあって誤入力が発生しやすい。
【０００５】
３．プール構造にした場合、異物が入り込むのを完全に防ぐことが可能だがコストが高くなってしまう。
４．異物が入り込むのを防ぐ構造ではなく、また入った異物を排出することは考慮されていない。
基本的にはどの技術でも入り込んだ異物を排出することは想定していない。上記の１、２は異物が入り込まないことが前提である。３は異物がキーボード部分までしか入り込まない為、比較的排出は容易ではあるが、４は異物を排出するには分解することが必要となり、小さい異物の場合は市販のエアダスターなどで吹き飛ばすことも可能だが、それを考慮した構造ではないため、余計に本体内部に異物が入り込んでしまう可能性がある。
【０００６】
これらに対し、例えば特許文献１に記載の方法においては、液体を排水する技術が開示されている。その方法としてはデッキケース１４において排水ホール間の水を導くガイドチャネル４８なるものが形成されていることが記されている。しかしながら、複数のキーボタン４２の配置に対応したきめ細かな排水構造には至っておらず従って排水性能が十分とは言えないという問題があった。
【特許文献１】特開２００３−１２２４５４号公報
【発明の開示】
【発明が解決しようとする課題】
【０００７】
本発明は、異物を排出しやすいキーボードシステムを提供することを目的とする。
【課題を解決するための手段】
【０００８】
上記課題を解決するために、本発明のキーボードシステムは、キートップと各キートップを支える支柱を備えた台座部分とから構成されるキーボードと、このキーボードの台座部分の延長上に異物を排出するための排出口とを備え前記支柱に連結して異物を前記排出口へと誘導する壁を前記台座部分に設置したことを特徴とする。
【発明の効果】
【０００９】
本発明によれば、異物を排出しやすいキーボードシステムが得られる。
【発明を実施するための最良の形態】
【００１０】
以下、本発明の実施例を説明する。
【実施例１】
【００１１】
本発明による実施例１を図１乃至図４を参照して説明する。
図１は、この発明の一実施例を示すノートＰＣの構成を表している。（ａ）は、ノートＰＣ本体とキーボードとを示した斜視図であり、（ｂ）は、ノートＰＣ本体の異物排出口の概略図である。
【００１２】
（ａ）において、本体1に表示部2がヒンジで係合されており、本体１にはキーボード３が装備されており、キーボード３の表面部分は入力手段として機能するようキーを並べてキートップが表面に出るよう構成されている。図の矢印はユーザから見て右側に設けた異物の排出の部位、方向を表すものである。（ｂ）において、キーボードの土台（台座）部分の延長部位１１がノートＰＣ本体１の右側に出ており、本体上部１２との間に扉１３が設けられている。（ｂ）は扉１３を載面で見た図であり扉１３は奥行き方向に延伸した板状の部分を本体上部１２に取付けられた扉１３上部の円筒状の部分により黒い矢印の方向へ回動するよう構成されていて、左から概ね白い矢印の方向に沿って来る異物を排出するときには外開きに開くようになっている。なお、扉１３は通常の取り扱いで引っ掛けて壊したりしないよう筐体の内側部分に設置するのが望ましく、また表面には図示していないがユーザが扉１３を開けられるようつまみを取付けておいてもよい。排出口には、排出口からの異物の進入を防ぐために外開きの扉を取り付けている構成となっている。
【００１３】
また、「市販のエアダスターをキーボード部分に噴射し、異物を強制排出させる」または「液体がキーボード部分から入り込んだときに、自動的に排出される」といったケースを目的とするため扉１３は比較的弱い力で外側に開くように構成されている。
【００１４】
キーとキーまたはキーの周辺の隙間から入り込んだ異物が最初に接触するのはキーボードの土台部分である。図１のように土台の延長線上に異物の排出口を設けている。
【００１５】
図２は、キーボードの概略図である。一般的なキー配置の右側表面部分の平面図である。キー同士は近接しているが、独立しているためにキーの隙間から異物が混入する構造である。
【００１６】
図３は、キーボードの土台部分の概略平面図である。キーの下には図のようにキートップより平面形状が小さい支柱が配置され、キーを支えている。各四角枠がキーの支柱を示している。破線は図２のキートップに相当する。図４は、キーボードの土台部分の概略構成図である。図３の構成に加えて、壁１００で代表する太い破線で表した７条の壁を示している。これらの壁は右や手前に緩やかな傾斜しているキーボードの土台部分においてキーの支柱を連結して異物である液体を伝えて流し、またエアダスターによる空気の流れにより固体を円滑に送るように構成されている。支柱と支柱をつなぐように溝を形成することにより停滞ポイントを減らすものである。
【実施例２】
【００１７】
本発明による実施例２を図１乃至図３及び図５を参照して説明する。実施例１と共通する部分は説明を省略する。
図５は実施例１の図４に相当するもので、実施例１では壁を設けたのに対し、溝４００で代表する太い破線で表した７条の溝を設けている。作用として液体はこの溝を伝わり図の右下方へと流れていく。作用として液体はこの溝を伝わり図の右下方へと流れていく。次に、排出口からの異物の排出を容易にするための手段としてキーボードの土台に溝を作り、異物を排出させる流れを作る。固体の異物はここに滞留するが、エアダスターにより排出することが期待できる。液体であればここを通り、より低いほうへと流れていく。
【００１８】
他の実施例としては、壁と溝を組み合わせることも好適である。図５に例示した７条の各構造において手前側を壁、向こう側を溝とする一体構造とすれば、液体のくい止めと導きという双方の効果を得ることができる。
【００１９】
本発明では、キーボード内に入り込んだ異物をできるだけ容易に排出させることを目的としている。効果を列挙すると以下のようになる。
・排出口の設置により、浸入した異物の排出が容易になる
・キーボードの台座に排出口へと異物を導くための構造を作ることにより異物の排出が容易になる
なお、この発明は上記実施例に限定されるものではなく、この外その要旨を逸脱しない範囲で種々変形して実施することができる。
例えば、PCでの実施例を取り上げたが、キーボード単体においても同様である。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２０】
【図１】本発明に係る一実施例であるノートブック型コンピュータの本体とキーボードとを示した斜視図、同実施例の排出口の概略図（右側面に排出口を設けた場合の例）。
【図２】同実施例のキーボードの概略図（一般的なキー配置の右側部分図）。
【図３】同実施例のキーボードの土台部分の概略平面図。
【図４】同実施例のキーボードの土台部分の概略構成図。
【図５】同他の例に用いられるキーボードの土台部分の概略構成図。
【符号の説明】
【００２１】
１…本体、２…表示部、３…キーボード、１１…キーボードの土台部分の延長部位、１２…本体上部、１３…扉、１００…壁、４００…溝。
【図１】
2008033511.tif 000003
【図２】
2008033511.tif 000004
【図３】
2008033511.tif 000005
【図４】
2008033511.tif 000006
【図５】
2008033511.tif 000007